(57)【要約】【課題】より簡易な構造で、かつ、効率よく暖気を外部に逃がさないようにするとともに、シートを容易に取り外せるこたつ用椅子を実現する。【解決手段】こたつ用椅子（１）は、座部（２）と、座部を支持する複数の脚部（３）と、シート状体（４）と、左右の脚部間に、鉛直方向の互いに異なる位置に複数設けられた、シート状体の位置を固定する第１の固定部材（５）とを備え、シート状体は、第１の固定部材に着脱可能である。【選択図】図１
2019042442.tif 000002
【特許請求の範囲】
【請求項１】
座部と、
前記座部を支持する複数の脚部と、
シート状体と、
左右の前記脚部間に、鉛直方向の互いに異なる位置に複数設けられた、前記シート状体の位置を固定する第１の固定部材と、
を備え、
前記シート状体は、前記第１の固定部材に着脱可能であることを特徴とするこたつ用椅子。
【請求項２】
左右の前記脚部間に、水平方向の互いに異なる位置に複数設けられた、前記シート状体の位置を固定する第２の固定部材をさらに備え、
前記シート状体は、前記第２の固定部材に着脱可能であることを特徴とする請求項１に記載のこたつ用椅子。
【請求項３】
前記第１の固定部材は、前記座部の前面よりも後方の位置に設けられることを特徴とする請求項１または２に記載のこたつ用椅子。
【請求項４】
前記第１の固定部材は、前記シート状体の両端を固定する２つの固定部材と、前記シート状体を折り曲げる１つの固定部材とを含むことを特徴とする請求項１から３のいずれか１項に記載のこたつ用椅子。
【請求項５】
左右の前記脚部の底部に、それぞれ設けられた複数のキャスタをさらに備え、
前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることを特徴とする請求項１から４のいずれか１項に記載のこたつ用椅子。
【発明の詳細な説明】
【技術分野】
【０００１】
本発明は、こたつ用椅子に関する。
【背景技術】
【０００２】
こたつ用の椅子として、特許文献１〜３に記載されたものが従来技術として知られている。
【先行技術文献】
【特許文献】
【０００３】
【特許文献１】特開２００６−６１２１０号公報（２００６年３月９日公開）
【特許文献２】特開２００９−１１８９０５号公報（２００９年６月４日公開）
【特許文献３】登録実用新案３１６０９７９号公報（２０１０年７月１５日発行）
【発明の概要】
【発明が解決しようとする課題】
【０００４】
特許文献１〜３に記載のこたつ用の椅子は、椅子の脚部間を布や板で閉塞することにより、座部の下側から暖気が外部に逃げないようになっている。しかしながら、特許文献１の椅子は、シャッター状部材を用いるので、構造が複雑である。特許文献２の椅子は、座部の下方において、前方が開放部によって開口し、残りの三方が閉塞シートで囲まれた空間部が形成されるので、閉塞シートが多く、また、閉塞シートを取り外すことができない。特許文献３の椅子は、後側の閉塞板、および、左右の暖気逃げ防止板を用い、また、それぞれを開閉するための機構が必要であるので、構造が複雑である。
【０００５】
本発明は、上記の問題点に鑑みてなされたものであり、その目的は、より簡易な構造で、かつ、効率よく暖気を外部に逃がさないようにするとともに、シートを容易に取り外せるこたつ用椅子を実現することにある。
【課題を解決するための手段】
【０００６】
上記の課題を解決するために、本発明の一態様に係るこたつ用椅子は、座部と、前記座部を支持する複数の脚部と、シート状体と、左右の前記脚部間に、鉛直方向の互いに異なる位置に複数設けられた、前記シート状体の位置を固定する第１の固定部材と、を備え、前記シート状体は、前記第１の固定部材に着脱可能であることを特徴としている。
【発明の効果】
【０００７】
本発明の一態様によれば、こたつ用椅子において、より簡易な構造で、かつ、効率よく暖気を外部に逃がさないようにできるとともに、シートを容易に取り外せるという効果を奏する。
【図面の簡単な説明】
【０００８】
【図１】本発明の一実施形態に係る、シート状体を垂直に設けたこたつ用椅子の概略を示す斜視図である。
【図２】本発明の一実施形態に係る、シート状体を垂直に設けたこたつ用椅子の概略を示す斜視図である。
【図３】本発明の一実施形態に係る、シート状体を水平に設けたこたつ用椅子の概略を示す斜視図である。
【図４】本発明の一実施形態に係る、シート状体を水平に設けたこたつ用椅子の概略を示す斜視図である。
【発明を実施するための形態】
【０００９】
以下、本発明の実施形態について、図１〜４を参照して詳細に説明する。図１は、本発明の一実施形態に係る、シート状体を垂直に設けたこたつ用椅子の概略を示す斜視図であり、図２は、本発明の一実施形態に係る、シート状体を垂直に設けたこたつ用椅子の概略を示す斜視図であり、図３は、本発明の一実施形態に係る、シート状体を水平に設けたこたつ用椅子の概略を示す斜視図であり、図４は、本発明の一実施形態に係る、シート状体を水平に設けたこたつ用椅子の概略を示す斜視図である。
【００１０】
（シート状体を垂直に設けたこたつ用椅子）
図１に示すように、こたつ用椅子１は、座部２と、座部２を支持する複数の脚部３と、シート状体４と、左右の脚部３間に、鉛直方向の互いに異なる位置に複数設けられた、シート状体４の位置を固定する固定部材（第１の固定部材）５とを備えている。なお、ここでいう鉛直方向とは、人が座れるようにこたつ用椅子１を置いた状態を基準にする。また、本発明では、３本以上の固定部材５が備えられている場合、少なくとも２本の固定部材５の、鉛直方向の位置が異なっていればよい。シート状体４は、固定部材５に着脱可能である。また、こたつ用椅子１は、背もたれ部７及び肘掛部８を備えてもよい。
【００１１】
こたつ用椅子１は、テーブルに布団、シート等を掛けて、テーブル下を温めるこたつ用の椅子として好適であるが、布団、シート等を外した通常のテーブル用の通常の椅子としても使用可能である。背もたれ部７は、座部２の後部両隅に取り付けられている。肘掛部８は、座部２の左右の側縁部のそれぞれに設けられ、座部２から上方に延伸する部分と、これに接続された座部２に概ね平行な部分とから構成され得る。
【００１２】
座部２は、使用者が着座する部分であり、板状体上にクッションを設けたものであってもよい。なお、座部２において、着座する人が着座する面を上面、上面と向かい合う下側の面を下面とする。
【００１３】
脚部３は、座部２を支持する。こたつ用椅子１は、脚部３を左右に２つ備えている。脚部３は、上部材３１、下部材３２、前部材３３、および、後部材３４からなる枠状体である。上部材３１、下部材３２、前部材３３、および、後部材３４は、それぞれ角材である。
【００１４】
図２に示すように、固定部材５ａ、５ｂは、左右の上部材３１間に横設される。固定部材５ｃは、左右の下部材３２間に横設される。図２では、固定部材５ｂ、５ｃは、こたつ用椅子１の前後方向の同じ位置であって、上部材３１、下部材３２の中央位置に設けられるが、それに限定されない。固定部材５ｂ、５ｃは、少なくとも、座部２の前面よりも後方の位置に設けられる。固定部材５ａは、固定部材５ｂから離れた位置に設けられる。固定部材５ａ、５ｃは、シート状体４の両端を固定する。固定部材５ｂは、シート状体４を折り曲げる。
【００１５】
シート状体４は、例えば、布帛、合皮、本皮、及び合成樹脂などの屈曲性を有する部材で構成される。シート状体４の裏面のうち、長さ方向の両端、および、両端から離れた位置の４箇所に、面テープ４１が貼設される。
【００１６】
シート状体４の一端は、当該一端側に貼設された２つの面テープを合わせることにより、固定部材５ａに固定される。図２では、シート状体４は、固定部材５ｂにより直角に折り曲げられる。なお、シート状体４が折り曲げられる角度は、直角に限定されることなく、固定部材５ｂ、５ｃの位置関係に応じて、鋭角、および、鈍角になり得る。シート状体４の他端は、当該他端側に貼設された２つの面テープを合わせることにより、固定部材５ｃに固定される。
【００１７】
シート状体４が固定部材５ｂ、５ｃ間の距離よりも長いので、シート状体４の両端を固定部材５ｂ、５ｃに固定すると、シート状体４に張りがなくなる。そこで、固定部材５ａを設けて、「固定部材５ａ、５ｂ間の距離＋固定部材５ｂ、５ｃ間の距離＋固定のために折り返すシート状体４の両端の長さ」がシート状体４の長さになるように、固定部材５ａ、５ｂの間隔が調整される。換言すれば、固定部材５は、シート状体４の両端を固定する２つの固定部材５ａ、５ｃと、シート状体４を折り曲げる１つの固定部材５ｂとを含む。上記により、シート状体４に張りを持たせて固定することができる。
【００１８】
シート状体４は、座部２の下側において座部２に対して固定部材５ｂから５ｃに掛けて略垂直（略鉛直）に固定されることにより、左右の脚部３間を閉塞する。したがって、シート状体４が垂直に設けられたこたつ用椅子１を使用すれば、こたつからの暖気が座部２の下側から外に逃げるのを防ぐことができる。また、固定部材５は、座部２の前面よりも後方の位置に設けられることにより、座部２の下側に、着座している人が足を座部２の内側に向けて自由に動かすことができるスペースが存在する。これにより、こたつ用椅子１は、着座している人の立ち座りを容易にすることができる。
【００１９】
左右の下部材３２の、床に接する底部（脚部の底部）には、それぞれ２つの（複数の）キャスタ９が設けられる。人がこたつ用椅子１に座っていない場合、キャスタ９の車輪が下部材３２の底部から出た状態になる。したがって、こたつ用椅子１を容易に移動することができる。一方、人がこたつ用椅子１に座っている場合、キャスタ９の車輪が下部材３２の底部に入り込んだ状態になる。したがって、こたつ用椅子１が移動し難いので、こたつ用椅子１を安定した状態にすることができる。
【００２０】
（シート状体を水平に設けたこたつ用椅子）
こたつ用椅子１は、左右の脚部３間に、水平方向の互いに異なる位置に複数設けられた、シート状体４の位置を固定する固定部材（第２の固定部材）６をさらに備える。なお、ここでいう水平方向とは、人が座れるようにこたつ用椅子１を置いた状態を基準にする。また、本発明では、３本以上の固定部材６が備えられている場合、少なくとも２本の固定部材６の、水平方向の位置が異なっていればよい。シート状体４は、固定部材６に着脱可能である。
【００２１】
図４に示すように、固定部材６ａは、左右の前部材３３間に横設される。固定部材６ｂは、左右の後部材３４間に横設される。図４では、固定部材６ａ、６ｂは、こたつ用椅子１の鉛直方向の同じ位置であって、前部材３３、後部材３４の中央位置に設けられるが、それに限定されない。
【００２２】
既に説明したように、シート状体４の裏面のうち、長さ方向の両端、および、両端から離れた位置の４箇所に、面テープ４１が貼設される。シート状体４の一端は、当該一端側に貼設された２つの面テープを合わせることにより、固定部材６ａに固定される。シート状体４の他端は、当該他端側に貼設された２つの面テープを合わせることにより、固定部材６ｂに固定される。
【００２３】
シート状体４の両端は、固定部材６ａ、６ｂに固定される。シート状体４の長さが「固定部材６ａ、６ｂ間の距離＋固定のために折り返すシート状体４の両端の長さ」になるように、シート状体４の長さが調整される。これにより、シート状体４に張りを持たせて固定することができる。
【００２４】
シート状体４は、座部２の下側において略水平に固定されることにより、左右の脚部３間を開放する。したがって、シート状体４が水平に設けられたこたつ用椅子１を使用すれば、脚部３間の通気を確保ことができる。そして、水平に設けられたシート状体４の上に、雑誌、新聞等を置くことができる。また、固定部材６は、脚部３の下部材３２よりも上方の位置に設けられることにより、座部２の下側に、着座している人が足を座部２の内側に向けて自由に動かすことができるスペースが存在する。これにより、こたつ用椅子１は、着座している人の立ち座りを容易にすることができる。
【００２５】
特許文献１〜３のこたつ用の椅子は、暖気の逃げを防ぐ効果は高いが、着座している人が座部の下側に足を入れることができず、足を自由に動かすことができない。したがって、特許文献１〜３のこたつ用の椅子は、着座している人が座部から立ち上がる際に、立ち上がりにくく不便である。これに対して、こたつ用椅子１は、座部２の下側に足を入れるスペースがあるので、様々な方向から容易に立ち上がることができる。
【００２６】
なお、こたつのテーブルとは、例えば、ダイニングテーブルにこたつ用のヒーターユニットを設けたダイニングこたつでもよい。
【００２７】
また、特許文献１〜３の閉塞空間は、座部の下側でコの字状のシート状体で囲まれた空間である。これに対して、こたつ用椅子１の閉塞空間は、座部２の下側で中央近傍に設けられたシート状体４で囲まれた空間である。したがって、特許文献１〜３の閉塞空間と比較して、こたつ用椅子１の閉塞空間は狭い空間である。これにより、こたつ用椅子１は、特許文献１〜３に記載のこたつ用の椅子と比較して、こたつ内の暖気の外部への逃げを効率よく防ぐことができる。
【００２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００２９】
〔付記事項〕
以上のように、本発明の一態様に係るこたつ用椅子では、左右の前記脚部間に、水平方向の互いに異なる位置に複数設けられた、前記シート状体の位置を固定する第２の固定部材をさらに備え、前記シート状体は、前記第２の固定部材に着脱可能であることがより好ましい。
【００３０】
また、本発明の一態様に係るこたつ用椅子では、前記第１の固定部材は、前記座部の前面よりも後方の位置に設けられることがより好ましい。
【００３１】
また、本発明の一態様に係るこたつ用椅子では、前記第１の固定部材は、前記シート状体の両端を固定する２つの固定部材と、前記シート状体を折り曲げる１つの固定部材とを含むことがより好ましい。
【００３２】
また、本発明の一態様に係るこたつ用椅子では、左右の前記脚部の底部に、それぞれ設けられた複数のキャスタをさらに備え、前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることがより好ましい。
【００３３】
また、本発明の一態様に係るこたつ用椅子は、座部を支持する複数の脚部と、左右の前記脚部の上部間に設けられた固定部材と、左右の前記脚部の底部間に設けられた固定部材と、前記上部間に設けられた固定部材（例えば固定部材５ｂ）から前記底部間に設けられた固定部材（例えば固定部材５ｃ）に掛けて鉛直に固定されるシート状体と、を備え、前記シート状体は、前記第１の固定部材および前記第２の固定部材に着脱可能であってもよい。
【００３４】
また、本発明の一態様に係るこたつ用椅子は、左右の前記脚部間に、水平方向の互いに異なる位置に複数設けられた、前記シート状体の位置を固定する、前記上部間に設けられた固定部材及び前記底部間に設けられた固定部材とは異なる固定部材（例えば、固定部材６ａ、６ｂ）をさらに備え、当該固定されたシート状体は、当該固定部材に着脱可能であることがより好ましい。
【符号の説明】
【００３５】
１  こたつ用椅子、２  座部、３  脚部、４  シート状体、５  固定部材（第１の固定部材）、６  固定部材（第２の固定部材）、７  背もたれ部、８  肘掛部、９  キャスタ、３１  上部材、３２  下部材、３３  前部材、３４  後部材
【図１】
2019042442.tif 000003
【図２】
2019042442.tif 000004
【図３】
2019042442.tif 000005
【図４】
2019042442.tif 000006
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
座部と、
前記座部を支持する複数の脚部と、
シート状体と、
左右の前記脚部間に、鉛直方向の互いに異なる位置に複数設けられた、前記シート状体の位置を固定する第１の固定部材と、
を備え、
前記シート状体は、前記第１の固定部材に着脱可能であり、
左右の前記脚部間に、水平方向の互いに異なる位置に複数設けられた、前記シート状体の位置を固定する第２の固定部材をさらに備え、
前記シート状体は、前記第２の固定部材に着脱可能であることを特徴とするこたつ用椅子。
【請求項２】
座部と、
前記座部を支持する複数の脚部と、
シート状体と、
左右の前記脚部間に、鉛直方向の互いに異なる位置に複数設けられた、前記シート状体の位置を固定する第１の固定部材と、
を備え、
前記シート状体は、前記第１の固定部材に着脱可能であり、
前記第１の固定部材は、前記シート状体の両端を固定する２つの固定部材と、前記シート状体を折り曲げる１つの固定部材とを含むことを特徴とするこたつ用椅子。
【請求項３】
座部と、
前記座部を支持する複数の脚部と、
シート状体と、
左右の前記脚部間に、鉛直方向の互いに異なる位置に複数設けられた、前記シート状体の位置を固定する第１の固定部材と、
を備え、
前記シート状体は、前記第１の固定部材に着脱可能であり、
前記シート状体の両端は、当該両端側それぞれに貼設された２つの面テープを合わせることにより、前記第１の固定部材に固定されることを特徴とするこたつ用椅子。
【請求項４】
前記第１の固定部材は、前記座部の前面よりも後方の位置に設けられることを特徴とする請求項１から３のいずれか１項に記載のこたつ用椅子。
【請求項５】
左右の前記脚部の底部に、それぞれ設けられた複数のキャスタをさらに備え、
前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることを特徴とする請求項１から４のいずれか１項に記載のこたつ用椅子。